(57)【特許請求の範囲】
【請求項１】
無線通信システムにおける個別チャネルまたは共通チャネルを物理チャネルとして用いて、基地局装置を経由して基地局制御装置とパケット通信を行う通信手段と、
前記個別チャネルを用いて前記基地局制御装置とパケット通信を行う第１の状態における通信回線の識別情報と、該第１の状態における該通信回線の設定パラメータであって該個別チャネルを起動するために使用される該設定パラメータとを含む回線情報を記憶する記憶手段と、
前記第１の状態におけるパケットデータ通信量を示す指標を所定の閾値と比較し、該指標が該閾値を下回ったとき、前記通信回線の回線情報を保持したままで前記個別チャネルを解放し、前記共通チャネルを用いて前記基地局制御装置とパケット通信を行う第２の状態へ移行する制御を行い、該第２の状態におけるパケットデータ通信量を示す指標を前記閾値と比較し、該指標が該閾値を上回ったとき、前記設定パラメータを用いて該個別チャネルを再起動することで前記第１の状態へ復帰する制御を行う制御手段と
を備えることを特徴とする通信装置。
【請求項２】
前記通信手段は、前記第２の状態におけるパケットデータ通信量を示す指標が前記閾値を上回ったとき、前記個別チャネルの再設定要求を前記基地局制御装置に送信して、該基地局制御装置から再開要求を受信し、前記制御手段は、該再開要求に含まれる前記通信回線の識別情報に対応する設定パラメータを用いて、前記第１の状態へ復帰する制御を行うことを特徴とする請求項１記載の通信装置。
【請求項３】
無線通信システムにおける個別チャネルまたは共通チャネルを物理チャネルとして用いて、基地局装置を経由して通信装置とパケット通信を行い、該個別チャネルを用いて該通信装置とパケット通信を行う第１の状態において、前記共通チャネルを用いて該通信装置とパケット通信を行う第２の状態へ移行する移行要求を該通信装置から受信し、該第２の状態において、該個別チャネルの再設定要求を該通信装置から受信する通信手段と、
前記第１の状態における通信回線の識別情報と、該第１の状態における該通信回線の設定パラメータであって前記個別チャネルを起動するために使用される該設定パラメータとを含む回線情報を記憶する記憶手段と、
前記移行要求を受信したとき、前記通信回線の回線情報を保持したままで前記個別チャネルを解放し、前記第２の状態へ移行する制御を行い、前記再設定要求を受信したとき、前記設定パラメータを用いて該個別チャネルを再起動することで前記第１の状態へ復帰する制御を行う制御手段と
を備えることを特徴とする基地局制御装置。
【請求項４】
前記通信手段は、前記第１の状態におけるパケットデータ通信量を示す指標が前記閾値を下回ったとき、前記通信装置から前記移行要求を受信し、前記第２の状態におけるパケットデータ通信量を示す指標が前記閾値を上回ったとき、該通信装置から前記再設定要求を受信することを特徴とする請求項３記載の基地局制御装置。
【請求項５】
前記記憶手段に記憶される回線情報は、前記通信装置のアドレス情報をさらに含み、前記制御手段は、前記移行要求の送信元のアドレス情報に対応する回線情報から前記通信回線の識別情報を読み出し、前記通信手段は、読み出された通信回線の識別情報を含む再開要求を該通信装置に送信することを特徴とする請求項３または４記載の基地局制御装置。
【請求項６】
前記記憶手段に記憶される回線情報は、前記基地局装置のアドレス情報をさらに含み、前記制御手段は、前記移行要求の送信元のアドレス情報に対応する回線情報から該基地局装置のアドレス情報を読み出し、前記通信手段は、前記通信回線の識別情報を含む再開要求を該基地局装置に送信することを特徴とする請求項５記載の基地局制御装置。
【請求項７】
前記制御手段は、前記第２の状態において前記通信装置が他の基地局装置の無線ゾーンへ移動したとき、前記記憶手段から前記通信回線の回線情報を消去することを特徴とする請求項３または４記載の基地局制御装置。
【請求項８】
前記制御手段は、前記第２の状態において前記通信装置が通信可否をチェックするために定期的に送信するメッセージをあらかじめ決められた時間内に受信しなかったとき、前記記憶手段から前記通信回線の回線情報を消去することを特徴とする請求項３または４記載の基地局制御装置。
【請求項９】
前記制御手段は、前記第２の状態において前記通信装置が通信可否をチェックするために定期的に送信するメッセージを受信した回数が所定の閾値を超えたとき、前記記憶手段から前記通信回線の回線情報を消去することを特徴とする請求項３または４記載の基地局制御装置。
【請求項１０】
個別チャネルまたは共通チャネルを物理チャネルとして用いて、通信装置が基地局装置を経由して基地局制御装置とパケット通信を行う無線通信システムにおける物理チャネル再設定方法であって、
前記個別チャネルを用いて前記通信装置と前記基地局制御装置がパケット通信を行う第１の状態における通信回線の識別情報と、該第１の状態における該通信回線の設定パラメータであって該個別チャネルを起動するために使用される該設定パラメータとを含む回線情報を、前記通信装置、基地局装置、および基地局制御装置のそれぞれに格納し、
前記第１の状態におけるパケットデータ通信量を示す指標を所定の閾値と比較し、
前記指標が前記閾値を下回ったとき、前記通信回線の回線情報を保持したままで前記個別チャネルを解放し、前記共通チャネルを用いて前記通信装置と前記基地局制御装置がパケット通信を行う第２の状態へ移行する制御を行い、
前記第２の状態におけるパケットデータ通信量を示す指標を前記閾値と比較し、
前記指標が前記閾値を上回ったとき、前記設定パラメータを用いて前記個別チャネルを再起動することで前記第１の状態へ復帰する制御を行う
ことを特徴とする物理チャネル再設定方法。
【発明の詳細な説明】
【技術分野】
【０００１】
本発明は、無線通信システムにおける物理チャネルの再設定を行う装置に係り、特に、広帯域符号分割多重アクセス（Wideband Code Division Multiple Access：Ｗ−ＣＤＭＡ）技術を有する移動通信システムにおいて実施される、移動局と基地局制御装置の間の通信状態変更時に、物理チャネルの再設定を行う方法に関する。
【背景技術】
【０００２】
ＵＭＴＳ（Universal Mobile Telecommunications System）システムにおける、通信チャネルの割り当て方法に関しては、３ＧＰＰ（3rd Generation Partnership Project）規格にて、使用するメッセージ、アルゴリズム等が勧告されている。一般的には、アイドル状態において移動局（Mobile Station：ＭＳ）が呼確立要求を送信したこと、または、アイドル状態のＭＳをネットワーク側から呼び出したことを契機として、各ＭＳ個別の物理チャネルである個別チャネルの起動が実施される。
【０００３】
この個別チャネルの起動時に、無線ネットワークを構成する移動局、基地局装置（Base Transceiver Station：ＢＴＳ）、および基地局制御装置（Radio Network Controller：ＲＮＣ）の各装置では、要求されている回線種別や回線速度等の各種情報を元に、各種パラメータを決定し、回線を起動する。
【０００４】
また、パケット通信に関しては、個別チャネルを割り当ててパケット通信を実施する状態と、複数のＭＳに共通の物理チャネルである共通チャネルを使用してパケット通信を実施する状態が定義されている。前者は、Ｃｅｌｌ＿ＤＣＨ（Dedicated Channel ）状態と呼ばれ、後者は、Ｃｅｌｌ＿ＦＡＣＨ（Forward Access Channel）状態と呼ばれる。
【０００５】
ＭＳおよびＲＮＣは、主に回線使用率を元にして、使用する通信状態を決定する。例えば、ＭＳは、回線使用率が高い場合（データ通信量が多い場合）、Ｃｅｌｌ＿ＤＣＨ状態を利用することができる。この場合、例えば、固定レート３８４ｋｂｐｓの個別チャネル回線を継続して利用する。
【０００６】
これに対して、回線使用率が低い場合（データ通信量が少ない場合）、ＭＳは、個別チャネル回線を一時解放し、Ｃｅｌｌ＿ＦＡＣＨ状態に移行して、共通チャネル回線にて最低限のデータ送受信を実行する（ＦＡＣＨ：ＤＬ（Downlink）、ＲＡＣＨ：ＵＬ（Uplink））。そして、Ｃｅｌｌ＿ＦＡＣＨにおける回線使用率が上がってきた場合（データ通信量が増加してきた場合）に、再度、個別チャネル回線を再起動（再設定）している。
【０００７】
上記のように、アイドル状態から個別チャネルを起動し、個別チャネルと共通チャネルの間で遷移を行う場合において、個別チャネルの設定時には、一般的に、ＲＮＣ−ＢＴＳ間のＩｕｂ回線およびＭＳ−ＢＴＳ間のＵｕ回線のチャネル設定に関わる多種のパラメータを設定する必要がある。このとき、Ｉｕｂ回線のパラメータは、ＲＮＣ−ＢＴＳ間の制御信号であるＮＢＡＰ（Node B Application Part ）信号を用いて設定され、Ｕｕ回線のパラメータは、ＲＮＣ−ＭＳ間の制御信号であるＲＲＣ（Radio Resource Control）信号を用いて設定される。
【０００８】
図１３は、このような従来のＵＭＴＳシステムにおける、アイドル状態からの発信時に個別チャネルを起動する基本動作シーケンスを示している。この個別チャネルは、ＤＣＣＨ（Dedicated Control Channel ）およびＤＴＣＨ（Dedicated Traffic Channel ）からなる。
【０００９】
まず、ＭＳは、ＲＮＣに対して呼確立要求（Ｃｏｎｎｅｃｔｉｏｎ  Ｒｅｑｕｅｓｔ）１１を送信する。これを受けて、ＲＮＣは、ＢＴＳとの間でメッセージ１２〜１５をやり取りし、ＭＳとの間でメッセージ１６および１７をやり取りする。これにより、ＤＣＣＨリソースが起動される。
【００１０】
次に、ＭＳ、ＢＴＳ、ＲＮＣ、および不図示のＣＮ（Core Network）の間でプロシージャ１８〜２０が実行される。
次に、ＭＳ、ＢＴＳ、およびＲＮＣの間でメッセージ２１〜２５がやり取りされて、ＤＴＣＨリソースが起動される。そして、プロシージャ２６が実行された後に、個別チャネル回線の接続が確立する。
【００１１】
図１４は、Ｃｅｌｌ＿ＤＣＨからＣｅｌｌ＿ＦＡＣＨへの移行と、Ｃｅｌｌ＿ＦＡＣＨからＣｅｌｌ＿ＤＣＨへの復帰の基本動作シーケンスを示している。
Ｃｅｌｌ＿ＤＣＨにて通信が行われている間に、ＭＳおよびＲＮＣによりプロシージャ３１が実行されて、回線使用率が監視される。そして、イベント３２により回線使用率が閾値を下回ったことを検出すると、ＭＳは、Ｃｅｌｌ＿ＦＡＣＨへの移行を要求するＭｅａｓｕｒｅｍｅｎｔ  Ｒｅｐｏｒｔ  Ｅｖｅｎｔ  ４ｂのメッセージ３３をＲＮＣに送信する。
【００１２】
これを受けて、ＭＳおよびＲＮＣの間でメッセージ３４〜３８がやり取りされ、ＢＴＳおよびＲＮＣの間でメッセージ３９〜４４がやり取りされる。これにより、個別チャネル回線が解放されて、システムはＣｅｌｌ＿ＦＡＣＨへ移行する。
【００１３】
次に、イベント４５により回線使用率が再び閾値を上回ったことを検出すると、ＭＳは、個別チャネル回線の再設定を要求するＭｅａｓｕｒｅｍｅｎｔ  Ｒｅｐｏｒｔ  Ｅｖｅｎｔ  ４ａのメッセージ４６をＲＮＣに送信する。これを受けて、ＢＴＳおよびＲＮＣの間でメッセージ４７〜５２がやり取りされる。このとき、ＲＮＣは、ＮＢＡＰ信号にてメッセージ４７（Ｒａｄｉｏ  Ｌｉｎｋ  Ｓｅｔｕｐ  Ｒｅｑｕｅｓｔ）をＢＴＳに送信して、ＤＣＣＨおよびＤＴＣＨを追加起動するために必要な各種パラメータの値をＢＴＳに通知する。
【００１４】
次に、ＲＮＣは、ＲＲＣ信号にてメッセージ５３（Ｔｒａｎｓｐｏｒｔ  Ｃｈａｎｎｅｌ  Ｒｅｃｏｎｆｉｇｕｒａｔｉｏｎ）をＭＳに送信して、ＤＴＣＨを起動するために必要な各種パラメータの値をＭＳに通知する。
【００１５】
ＭＳは、通知されたパラメータを用いてＣｅｌｌ＿ＦＡＣＨからＣｅｌｌ＿ＤＣＨへの復帰動作５４を行い、メッセージ５５をＲＮＣに送信する。これにより、システムはＣｅｌｌ＿ＤＣＨへ復帰する。なお、メッセージ３９〜５５は、Ｃｅｌｌ＿ＦＡＣＨにて送受信される。
【００１６】
図１５および図１６は、３ＧＰＰ  ＴＳ２５．４３３で規定されたメッセージ４７の内容（パラメータ）を示している。ＩＥ／Ｇｒｏｕｐ  Ｎａｍｅはパラメータ名を表し、ＰｒｅｓｅｎｃｅはＭ（Mandatory ）、Ｏ（Optional）、およびＣ（Conditional ）の種別を表す。
【００１７】
また、図１７〜図２０は、３ＧＰＰ  ＴＳ２５．３３１で規定されたメッセージ５３の内容（パラメータ）を示している。Ｉｎｆｏｒｍａｔｉｏｎ  Ｅｌｅｍｅｎｔ／Ｇｒｏｕｐ  Ｎａｍｅはパラメータ名を表し、ＮｅｅｄはＭＰ（Mandatorily present ）、ＭＤ（Mandatory with default value）、ＯＰ（Optional）、およびＣＨ（Conditional on history）の種別を表す。
【００１８】
Ｃｅｌｌ＿ＦＡＣＨとは別に、共通チャネルを使用する通信状態として、Ｃｅｌｌ＿ＰＣＨ（Paging Channel）およびＵＲＡ（UTRAN Registration Area ）＿ＰＣＨが規定されている。これらの通信状態からＣｅｌｌ＿ＤＣＨへの復帰時にも、ＭＳ、ＢＴＳ、およびＲＮＣの間でメッセージを用いたパラメータの再設定が行われる。
【００１９】
下記の特許文献１は、ＨＳＤＰＡ（High-Speed Downlink Packet Access ）サービスにおいて、基地局から移動局に対して送受信状態更新情報を通知することで、移動局の状態を設定する移動通信システムに関する。
【００２０】
下記の特許文献２は、初回接続時における論理回線の回線接続関連情報に基づいて、初回接続時と同じ論理回線を使ってデータ通信を行う通信システムに関する。
下記の特許文献３は、ユーザにより指定された利用目的に該当する情報に基づいて、複数の通信方式から最適な通信方式を選択し、対応する通信ソフトウェアを設定する移動通信端末に関する。
【特許文献１】特開２００４−１４７０５０号公報
【特許文献２】特開２００３−０５１８５５号公報
【特許文献３】特開２００５−１９８０８２号公報
【発明の開示】
【発明が解決しようとする課題】
【００２１】
従来のＵＭＴＳシステムでは、Ｃｅｌｌ＿ＦＡＣＨからＣｅｌｌ＿ＤＣＨへの復帰に伴うＣｅｌｌ＿ＤＣＨのチャネル起動に必要なすべてのパラメータを、メッセージを用いてＲＮＣからＢＴＳおよびＭＳに通知する必要がある。そのパラメータの数は、図１５〜図２０に示した通り膨大なものになる。このため、個別チャネルの再確立時には、アイドル状態からの発信時と同様に、パラメータ設定に長い時間を要する。
【００２２】
特に、音声や映像のリアルタイム送信を想定している、次世代の移動通信システムにおいては、ＭＳが通信中に状態遷移を行う場合、パラメータ設定時間を、例えば、数百ミリ秒程度に抑える必要があると考えられる。したがって、Ｃｅｌｌ＿ＦＡＣＨからＣｅｌｌ＿ＤＣＨへの復帰時には、再設定するパラメータの数をできるだけ削減することが望ましい。
【００２３】
本発明の課題は、物理チャネルとして個別チャネルと共通チャネルが設けられた無線通信システムにおいて、通信状態が個別チャネルから共通チャネルに移行した後、元の個別チャネルに復帰する際に、パラメータ設定動作を簡単化し、個別チャネルの再確立に要する時間を短縮することである。
【課題を解決するための手段】
【００２４】
図１は、本発明の通信装置の原理図である。図１の通信装置１０１は、通信手段１１１、記憶手段１１２、および制御手段１１３を備える。
通信手段１１１は、無線通信システムにおける個別チャネルまたは共通チャネルを物理チャネルとして用いて、基地局装置１０２を経由して基地局制御装置１０３とパケット通信を行う。記憶手段１１２は、個別チャネルを用いて基地局制御装置１０３とパケット通信を行う第１の状態における通信回線の識別情報と、第１の状態における通信回線の設定パラメータとを含む回線情報を記憶する。
【００２５】
制御手段１１３は、第１の状態におけるパケットデータ通信量を示す指標を所定の閾値と比較し、その指標が閾値を下回ったとき、通信回線の回線情報を保持したままで個別チャネルを解放し、共通チャネルを用いて基地局制御装置１０３とパケット通信を行う第２の状態へ移行する制御を行う。そして、第２の状態におけるパケットデータ通信量を示す指標を上記閾値と比較し、その指標が閾値を上回ったとき、上記設定パラメータを用いて第１の状態へ復帰する制御を行う。
【００２６】
上記第１の状態における通信回線の回線情報は、通信装置１０１以外に、基地局装置１０２および基地局制御装置１０３にもそれぞれ格納される。そして、第２の状態におけるパケットデータ通信量を示す指標が閾値を上回ったとき、それぞれの装置に格納された設定パラメータを用いて第１の状態へ復帰する制御が行われる。
【００２７】
このように、本発明においては、各ネットワーク構成装置に通信回線の回線情報を保持したままで、個別チャネルを用いた通信状態から共通チャネルを用いた通信状態への移行が行われる。これにより、再び個別チャネルが必要になった場合でも、基地局制御装置１０３から通信装置１０１および基地局装置１０２に対して、最低限のパラメータを通知するだけで、元の個別チャネルに復帰することができる。
【００２８】
通信装置１０１は、例えば、後述する図５の移動局に対応し、通信手段１１１はアンテナ５０１、ＲＦ部５０２、およびベースバンド部５０３に対応し、記憶手段１１２は記憶部５０６に対応し、制御手段１１３は呼処理制御部５０５に対応する。
【００２９】
また、第１の状態および第２の状態は、例えば、Ｃｅｌｌ＿ＤＣＨ状態およびＣｅｌｌ＿ＦＡＣＨ状態にそれぞれ対応する。
【発明の効果】
【００３０】
本発明によれば、共通チャネルから元の個別チャネルに復帰する際に送信されるメッセージ内のパラメータの数が削減されるため、パラメータ設定動作が簡単化される。また、パラメータの通知に要する時間が削減されるので、個別チャネルの再確立に要する時間が短縮される。これにより、ユーザは、パケット等の通信中に個別チャネルの再確立が行われても、ストレスのないチャネル移行を実施することが可能となる。
【発明を実施するための最良の形態】
【００３１】
以下、図面を参照しながら、本発明を実施するための最良の形態を詳細に説明する。
本実施形態では、ＭＳ、ＢＴＳ、およびＲＮＣの各ネットワーク構成装置において、Ｃｅｌｌ＿ＦＡＣＨ状態に移行する前状態であるＣｅｌｌ＿ＤＣＨ状態の回線情報を記憶する記憶部を設ける。
【００３２】
そして、Ｃｅｌｌ＿ＦＡＣＨ状態に移行したＭＳが、Ｃｅｌｌ＿ＤＣＨに復帰する際にＭｅａｓｕｒｅｍｅｎｔ  Ｒｅｐｏｒｔ  Ｅｖｅｎｔ  ４ａのメッセージを送信すると、それを受信したＲＮＣは、回線設定のためのＮＢＡＰ信号およびＲＲＣ信号において、新規に回線接続用パラメータを通知するのではなく、復帰用パラメータを指定するだけで、移行前のＣｅｌｌ＿ＤＣＨの回線情報を呼び出すようにする。
【００３３】
これにより、ＮＢＡＰ／ＲＲＣメッセージ構成の簡略化を図ることができる。また、パラメータ再設定時間を削減することにより、Ｃｅｌｌ＿ＤＣＨ復帰のための所要時間が短縮される。
【００３４】
図２は、このようなＵＭＴＳシステムにおけるＣｅｌｌ＿ＤＣＨからＣｅｌｌ＿ＦＡＣＨへの移行と、Ｃｅｌｌ＿ＦＡＣＨからＣｅｌｌ＿ＤＣＨへの復帰の動作シーケンスを示している。
【００３５】
ＭＳからＲＮＣに対して呼確立要求２０１が送信されると、各ネットワーク構成装置は、通常の呼設定アルゴリズムを用いてＤＣＣＨ起動およびＤＴＣＨ追加を実施する。まず、図１３のメッセージ１２〜１５に対応するＤＣＣＨ設定プロシージャ２０２が実行され、次に、プロシージャ１８〜２０に対応するプロシージャ２０３〜２０５が実行され、次に、メッセージ２２および２３に対応するＤＴＣＨ追加設定プロシージャ２０６が実行される。これにより、ＤＣＣＨおよびＤＴＣＨからなる個別チャネルが起動（確立）され、ＭＳは、その個別チャネルを用いてパケット通信を行う。
【００３６】
個別チャネルの起動完了後（通信回線確立後）、各ネットワーク構成装置は、起動された個別チャネルの設定パラメータ値を一時保持するプロシージャ２０７を実行する。このとき、設定時に用いた各種識別（ＩＤ）情報（ＲＬ（Radio Link）−ＩＤ／ＤＣＨ−ＩＤ）と設定パラメータ値を、回線情報として記憶部に保存する。
【００３７】
次に、ＭＳにおいて回線使用率（データ通信量）が閾値を下回った等のトラフィックボリュームイベントが発生すると、図１４のメッセージ３４〜４４に対応するＣｅｌｌ＿ＦＡＣＨ移行プロシージャ２０８が実行され、通信状態はＣｅｌｌ＿ＤＣＨからＣｅｌｌ＿ＦＡＣＨに移行する。これにより、物理的なリソースとしての個別チャネルは一旦解放される。
【００３８】
このとき、ＲＮＣは、対象ＭＳの使用回線を一時停止（サスペンド）するＳｕｓｐｅｎｄ動作２０９を行い、前状態の回線情報を記憶部から削除せずに保持しておく。この場合、一時停止された回線の論理的なリソースは保持されるため、他のＭＳが利用することはできない。ただし、呼切断により個別チャネルが解放された場合には、この限りではない。
【００３９】
次に、Ｃｅｌｌ＿ＦＡＣＨにて通信中のＭＳにおいて、回線使用率（データ通信量）が閾値を上回った等のイベントが発生すると、ＭＳは、Ｃｅｌｌ＿ＤＣＨ復帰トリガとして、Ｍｅａｓｕｒｅｍｅｎｔ  Ｒｅｐｏｒｔ  Ｅｖｅｎｔ  ４ａのメッセージ２１１をＲＮＣに送信する。これにより、ＭＳ、ＢＴＳ、およびＲＮＣの間でＣｅｌｌ＿ＤＣＨ復帰プロシージャ２１２が実行される。
【００４０】
次に、ＲＮＣは、記憶部に保持された対象ＭＳの回線情報を呼び出すＲｅｓｕｍｅ動作２１３を行い、ＢＴＳ−ＲＮＣ間のＩｕｂ回線上のＮＢＡＰ信号を用いて、再開要求（対象回線Ｒｅｓｕｍｅ  Ｒｅｑｕｅｓｔ）のメッセージ２１４をＢＴＳに送信する。
【００４１】
これを受けて、ＢＴＳは、記憶部に保持された対象回線の回線情報を呼び出すＲｅｓｕｍｅ動作２１５を行い、ＮＢＡＰ信号を用いて再開完了（対象回線Ｒｅｓｕｍｅ  Ｃｏｎｆｉｒｍ）のメッセージ２１６をＲＮＣに送信する。
【００４２】
次に、ＲＮＣは、ＭＳ−ＲＮＣ間のＵｕ回線上のＲＲＣ信号を用いて、対象回線Ｒｅｓｕｍｅ  Ｒｅｑｕｅｓｔのメッセージ２１７をＭＳに送信する。
これを受けて、ＭＳは、記憶部に保持された対象回線の回線情報を呼び出すＲｅｓｕｍｅ動作２１８を行い、ＲＲＣ信号を用いて再開完了（対象回線Ｒｅｓｕｍｅ  Ｃｏｍｐｌｅｔｅ）のメッセージ２１９をＲＮＣに送信する。
【００４３】
ＲＮＣがＭＳからの再開完了メッセージ２１９を受信すると、Ｃｅｌｌ＿ＤＣＨへの復帰が完了し、個別チャネルが再確立される。
このようにして、Ｃｅｌｌ＿ＦＡＣＨ状態にあるＭＳがＣｅｌｌ＿ＤＣＨ状態に復帰する際に、一時停止された前状態の回線が再開（レジューム）される。Ｃｅｌｌ＿ＦＡＣＨからＣｅｌｌ＿ＤＣＨに復帰する際に記憶部に保持されたパラメータ値を用いることで、ＭＳを含む各ネットワーク構成装置がパラメータ設定／チェックに要する時間が削減される。これにより、復帰時のチャネル再設定に要する時間が短縮されるため、アプリケーション（データ送受信）のスムースな切替（ストレスのないチャネル復帰）が可能となる。
【００４４】
また、本実施形態では、有限なリソースである論理的なチャネルリソースの有効利用を促すために、以下のような場合には、保持された回線情報を消去することを許容する。これにより、Ｃｅｌｌ＿ＦＡＣＨからの復帰時のチャネル設定時間短縮だけでなく、論理的なリソースの有効利用にも配慮することができる。
（１）Ｃｅｌｌ＿ＦＡＣＨ状態にあるＭＳが、他のＢＴＳのセル（無線ゾーン）へ移動した場合（Ｃｅｌｌ  Ｕｐｄａｔｅ：  ｃａｕｓｅ  Ｃｅｌｌ  Ｒｅｓｅｌｅｃｔｉｏｎ）、回線情報を消去する。Ｃｅｌｌ  Ｕｐｄａｔｅは、現在のセルにおけるＲＲＣ通信の可否をチェックするために、ＭＳからＲＮＣに送信されるメッセージである。ＭＳが他のセルへ移動したときは、メッセージ内でＣｅｌｌ  Ｒｅｓｅｌｅｃｔｉｏｎが指定される。
（２）Ｃｅｌｌ＿ＦＡＣＨ状態にあるＭＳが無線ゾーンの外（圏外エリア）に移動した等の要因により、Ｐｅｒｉｏｄｉｃａｌ  Ｃｅｌｌ  Ｕｐｄａｔｅ待ちでタイムアウトした場合（ＭＳ側Ｕｕ回線切断と判定された場合）、回線情報を消去する。Ｐｅｒｉｏｄｉｃａｌ  Ｃｅｌｌ  Ｕｐｄａｔｅは、Ｃｅｌｌ  Ｕｐｄａｔｅと同様の目的で、ＭＳからＲＮＣに定期的に送信されるメッセージである。ＲＮＣがあらかじめ決められた時間内にこのメッセージを受信しない場合は、タイムアウトとなる。
（３）Ｐｅｒｉｏｄｉｃａｌ  Ｃｅｌｌ  Ｕｐｄａｔｅ回数が、新設パラメータである所定の閾値を超えた場合、対象ＭＳがＣｅｌｌ＿ＤＣＨ状態に戻る確率は低いと判断し、回線情報を消去する。
【００４５】
このように、一時停止されたリソースの解放論理を提供することにより、システム内のリソースの無駄な保留がなくなり、有限リソースの有効利用が可能になる。上記（３）のリソース解放論理に関しては、後に図１１および図１２を参照して具体的に説明する。
【００４６】
ところで、図２では、アイドル状態のＭＳから発信が行われた場合のシーケンスが示されているが、アイドル状態のＭＳをネットワーク側から呼び出した場合にも、同様のシーケンスにて通信状態の遷移が行われる。この場合、不図示のＣＮからＲＮＣに対してページングメッセージが送信され、次に、ＲＮＣからＭＳに対してページングメッセージが送信される。これを受けて、呼び出されたＭＳは呼確立要求２０１をＲＮＣに送信し、それ以降のシーケンスが実行される。
【００４７】
次に、図３から図１０までを参照しながら、図２の各ネットワーク構成装置の構成と、記憶部のデータ構造について説明する。
図３は、ＲＮＣの構成例を示している。このＲＮＣは、処理部３０１、３０３、３０６、インタフェース部３０２、スイッチ部３０４（ＡＴＭ−ＳＷ）、制御部３０５、３０８、および終端部３０７を備え、複数のＢＴＳを制御する。
【００４８】
処理部３０１は、ＡＡＬ２（ATM Adaptation Layer 2）処理部３１１−１、３１１−２、および伝送路インタフェース部３１２（ＨＷＩＦ）を含む。ＡＡＬ２処理部３１１−１および３１１−２は、ＡＡＬ２の多重分離処理を行う。
【００４９】
インタフェース部３０２は、伝送路インタフェース３２１−１（ＳＤＬＴ）、３２１−２（ＳＤＬＴ）、３２２（ＨＷＩＦ）を含む。伝送路インタフェース３２１−１および３２１−２は、ＢＴＳ−ＲＮＣ間のＩｕｂ回線の終端を行う。
【００５０】
処理部３０３は、パケットデータ処理部３３１−１（ＳＰＵ）、３３１−２（ＳＰＵ）、および伝送路インタフェース部３３２（ＨＷＩＦ）を含む。パケットデータ処理部３３１−１および３３１−２は、パケットデータの処理を行う。
【００５１】
スイッチ部３０４は、ＡＴＭ（Asynchronous Transfer Mode）のスイッチングを行う。
制御部３０５は、伝送路インタフェース部３５１（ＨＷＩＦ）、無線フレームクロック生成部３５２（ＭＣＬＫ）、およびエマジェンシ制御部３５３（ＥＭＣ）を含む。無線フレームクロック生成部３５２は、装置内基準クロック信号を生成し、エマジェンシ制御部３５３は、装置状態の異常監視制御を行う。
【００５２】
処理部３０６は、伝送路インタフェース部３６１−１（ＨＷＩＦ）、３６１−２（ＨＷＩＦ）、ダイバーシチハンドオーバトランク部３６２−１（ＤＨＴ）〜３６２−ｎ（ＤＨＴ）、およびＭＡＣ（Media Access Control）多重分離部３６３−１（Ｍ−ＭＵＸ）〜３６３−ｎ（Ｍ−ＭＵＸ）を含む。ダイバーシチハンドオーバトランク部３６２−１〜３６２−ｎは、ダイバーシチハンドオーバ処理を行い、ＭＡＣ多重分離部３６３−１〜３６３−ｎは、無線回線のＭＡＣ層多重分離処理を行う。
【００５３】
終端部３０７は、伝送路インタフェース部３７１（ＨＷＩＦ）、移動局対向信号終端部３７２（ＭＳＵ）、およびＯＰＳ（オペレーションシステム）対向信号終端部３７３（ＯＳＵ）を備え、呼処理等の制御信号の終端を行う。
【００５４】
制御部３０８は、バス制御部３８１（ＢＣＯＮＴ）、呼処理制御部３８２−１（ＣＰ）〜３８２−ｍ（ＣＰ）、および記憶部３８３を含む。呼処理制御部３８２−１〜３８２−ｍは、呼確立制御、モビリティ管理等を行う。
【００５５】
呼処理制御部３８２は、ＭＳとの回線確立後に、Ｃｅｌｌ＿ＤＣＨにおける回線情報を記憶部３８３に格納し、記憶部３８３は、ＭＳがＣｅｌｌ＿ＦＡＣＨに移行した際にも、対象回線の回線情報を保持しておく。これにより、対象回線が一時停止される。記憶部３８３に格納される確立呼の回線情報は、例えば、図６に示すようになる。
【００５６】
この回線情報は、ＩＤ情報とパラメータからなり、システム内の回線毎に記憶部３８３に登録される。ＩＤ情報は回線番号（ＲＬ−ＩＤ／ＤＣＨ−ＩＤ等）と対象ＭＳおよび対象ＢＴＳのアドレス情報を含む。ＭＳのアドレス情報に対応付けて、そのＭＳとのＵｕ回線で用いるＲＲＣパラメータ値が格納され、ＢＴＳのアドレス情報に対応付けて、そのＢＴＳとのＩｕｂ回線で用いるＮＢＡＰパラメータ値が格納される。なお、これらのパラメータ値については、回線情報から省略することも可能である。
【００５７】
呼処理制御部３８２は、同じＭＳが再びＣｅｌｌ＿ＤＣＨの呼確立要求を送信してきた場合に、そのＭＳのアドレス情報を含むＩＤ情報を読み出して、対象ＭＳと対象ＢＴＳに通知することで、一時停止した回線を再開する。
【００５８】
図４は、ＢＴＳの構成例を示している。このＢＴＳは、送信アンテナ４０１、受信アンテナ４０２、増幅部４０３、拡散／逆拡散処理部４０４、スイッチ部４０５（ＳＷ）、および制御部４０６を備える。
【００５９】
増幅部４０３は、送信用増幅器４１１（ＡＭＰ）および受信用低雑音増幅器４１２（ＬＮＡ）を含み、拡散／逆拡散処理部４０４は、送信器４１３（ＴＸ）、受信器４１４（ＲＸ）、およびベースバンド部４１５（ＢＢ）を含む。
【００６０】
ＭＳから送信された信号は、受信アンテナ４０２で受信され、増幅器４１２により増幅された後、受信器４１４、ベースバンド部４１５、およびスイッチ部４０５を経由して制御部４０６に転送される。このとき、受信器４１４は、受信信号の検波およびアナログ／デジタル（Ａ／Ｄ）変換を行い、ベースバンド部４１５は、Ｗ−ＣＤＭＡ方式における受信信号の逆拡散等のベースバンド信号処理を行う。
【００６１】
また、制御部４０６からの信号は、スイッチ部４０５、ベースバンド部４１５、および送信器４１３を経由して転送され、増幅器４１１により増幅された後、送信アンテナ４０１からＭＳに送信される。このとき、ベースバンド部４１５は、Ｗ−ＣＤＭＡ方式における送信信号の拡散等のベースバンド信号処理を行い、送信器４１３は、送信信号のデジタル／アナログ（Ｄ／Ａ）変換およびＲＦ信号への変換を行う。
【００６２】
制御部４０６は、呼処理制御部４１６、記憶部４１７、監視制御部４１８（ＳＶ）、およびインタフェース４１９（ＩＦ）を含む。呼処理制御部４１６は、無線チャネル管理、物理回線（Ｉｕｂ回線）管理、品質管理等を行う。監視制御部４１８は、装置状態の監視制御を行い、インタフェース４１９は、ＢＴＳ−ＲＮＣ間のＩｕｂ回線の終端を行う。
【００６３】
呼処理制御部４１６は、ＭＳおよびＲＮＣとの回線確立後に、起動された個別チャネルの回線情報を記憶部４１７に格納し、記憶部４１７は、ＭＳがＣｅｌｌ＿ＦＡＣＨに移行した際にも、対象回線の回線情報を保持しておく。これにより、対象回線が一時停止される。
【００６４】
この場合、ＲＮＣからＢＴＳに対して、図１３のＲａｄｉｏ  Ｌｉｎｋ  Ｄｅｌｅｔｉｏｎ  Ｒｅｑｕｅｓｔのメッセージ３９が送信されるが、該当回線が情報記録対象であるため、回線情報は削除されない。記憶部４１７に格納される確立呼の回線情報は、例えば、図７に示すようになる。
【００６５】
この回線情報は、ＩＤ情報とパラメータからなり、回線毎に記憶部４１７に登録される。ＩＤ情報である回線番号（ＲＬ−ＩＤ／ＤＣＨ−ＩＤ等）に対応付けて、ＲＮＣとのＩｕｂ回線で用いるＮＢＡＰパラメータ値が格納される。
【００６６】
呼処理制御部４１６は、同じＭＳが再びＣｅｌｌ＿ＤＣＨの呼確立要求を送信し、ＲＮＣから図２の再開要求メッセージ２１４を受信した場合、そのメッセージ２１４により通知されたＩＤ情報に対応するパラメータ値を読み出して、インタフェース４１９に転送することで、一時停止した回線を再開する。インタフェース４１９は、転送されたパラメータ値を対象回線に適用して、ＲＮＣとの通信を行う。
【００６７】
図７のパラメータとしては、拡散／逆拡散処理部４０４で用いるパラメータ値を追加することも可能である。この場合、呼処理制御部４１６は、通知されたＩＤ情報に対応するパラメータ値を読み出して、拡散／逆拡散処理部４０４に転送し、拡散／逆拡散処理部４０４は、転送されたパラメータ値を適用して信号処理を行う。
【００６８】
なお、回線情報を記憶する記憶部をインタフェース４１９および拡散／逆拡散処理部４０４にも設けておき、必要なパラメータ値をＩＤ情報と共に格納するようにしてもよい。この場合、インタフェース４１９および拡散／逆拡散処理部４０４は、呼処理制御部４１６から通知されたＩＤ情報を元に、対応するパラメータ値を記憶部から読み出して使用する。
【００６９】
図５は、ＭＳの構成例を示している。このＭＳは、アンテナ５０１、ＲＦ（Radio Frequency ）部５０２、ベースバンド部５０３、音声入出力部５０４（Ｓｐｅａｋｅｒ  ＆  Ｍｉｃ）、呼処理制御部５０５、および記憶部５０６を備える。
【００７０】
ＲＦ部５０２は、アンテナ共用器５１１（ＤＵＰ）、電力増幅器５１２（ＰＡ）、受信器５１３（ＲＸ）、送信器５１４（ＴＸ）、変換部５１５（Ａｎａｌｏｇ  Ｆｒｏｎｔ  Ｅｎｄ）、および周波数合成器５１６（Ｆｒｅｑｕｅｎｃｙ  Ｓｙｎｔｈｅｓｉｚｅｒ）を含む。
【００７１】
ベースバンド部５０３は、信号処理部５１７（Ｌ１  Ｍｏｄｅｍ  ＆  ＣＨ  ｃｏｄｅｃ）、制御部５１８（Ｂａｓｅｂａｎｄ  ＆  ＲＦ  ｃｏｎｔｒｏｌ）、および音声インタフェース５１９（Ａｕｄｉｏ  Ｉｎｔｅｒｆａｃｅ）を含む。音声入出力部５０４は、スピーカおよびマイクを含む。
【００７２】
ＢＴＳから送信された信号は、アンテナ５０１で受信され、アンテナ共用器５１１、受信器５１３、および変換部５１５を経由して、ベースバンド部５０３に転送される。このとき、受信器５１３は、受信信号を検波し、変換部５１５は、Ａ／Ｄ変換を行い、ベースバンド部５０３は、Ｗ−ＣＤＭＡ方式における受信信号の逆拡散等のベースバンド信号処理を行う。そして、音声信号を、音声インタフェース５１９から音声入出力部５０４に出力する。
【００７３】
また、音声入出力部５０４からの音声信号は、音声インタフェース５１９に入力され、送信信号として、ベースバンド部５０３、変換部５１５、送信器５１４を経由して転送される。そして、電力増幅器５１２により増幅された後、アンテナ共用器５１１を経由して、アンテナ５０１からＢＴＳに送信される。このとき、ベースバンド部５０３は、Ｗ−ＣＤＭＡ方式における送信信号の拡散等のベースバンド信号処理を行い、変換部５１５は、Ｄ／Ａ変換を行い、送信器５１４は、周波数合成器５１６の出力を用いて、ＲＦ信号への変換を行う。
【００７４】
呼処理制御部５０５は、無線チャネル管理、品質管理、モビリティ管理等を行い、回線使用率（データ通信量）を監視して、それが閾値を上回ったか下回ったかを判定する。呼処理制御部５０５は、ＢＴＳおよびＲＮＣとの回線確立後に、起動された個別チャネルの回線情報を記憶部５０６に格納し、記憶部５０６は、ＭＳがＣｅｌｌ＿ＦＡＣＨに移行した際にも、対象回線の回線情報を保持しておく。これにより、対象回線が一時停止される。
【００７５】
この場合、図２のプロシージャ２０８において、ＭＳとＲＮＣの間でＣｅｌｌ  Ｕｐｄａｔｅプロシージャが実行され、個別チャネルが切断されて、ＭＳはＣｅｌｌ＿ＦＡＣＨに移行する。記憶部５０６に格納される確立呼の回線情報は、例えば、図８に示すようになる。
【００７６】
この回線情報は、ＩＤ情報とパラメータからなり、回線毎に記憶部５０６に登録される。ＩＤ情報である回線番号（ＲＬ−ＩＤ／ＤＣＨ−ＩＤ等）に対応付けて、ＲＮＣとのＵｕ回線で用いるＲＲＣパラメータ値が格納される。
【００７７】
その後、トラフィック状態が変化し、再度ＭＳがＣｅｌｌ＿ＤＣＨへの移行を必要とした場合、ＭＳは、Ｃｅｌｌ＿ＤＣＨの呼確立要求として、図２のＭｅａｓｕｒｍｅｎｔ  Ｒｅｐｏｒｔ  Ｅｖｅｎｔ  ４ａのメッセージ２１１をＲＮＣに送信し、ＲＮＣから再開要求メッセージ２１７を受信する。
【００７８】
このとき、呼処理制御部５０５は、そのメッセージ２１７により通知されたＩＤ情報に対応するパラメータ値を、記憶部５０６から読み出して、ベースバンド部５０３に転送することで、一時停止した回線を再開する。ベースバンド部５０３は、転送されたパラメータ値を対象回線に適用して、ベースバンド信号処理を行う。
【００７９】
ただし、上述したように、（１）ＭＳが他のセルへ移動した場合、（２）Ｐｅｒｉｏｄｉｃａｌ  Ｃｅｌｌ  Ｕｐｄａｔｅ待ちでタイムアウトした場合、および（３）Ｐｅｒｉｏｄｉｃａｌ  Ｃｅｌｌ  Ｕｐｄａｔｅ回数が閾値を超えた場合には、記憶部５０６から対象回線の回線情報が消去される。
【００８０】
図９は、図２に示したＲＮＣからＢＴＳへの再開要求メッセージ２１４の一例を示している。このメッセージに含まれるＲｅｓｕｍｅ回線ＩＤ情報９０１により、一時停止された回線の再開に必要な回線番号がＢＴＳに通知される。
【００８１】
このメッセージは、Ｒｅｓｕｍｅ回線ＩＤ情報９０１の通知を目的としているが、それ以外にも最低限、Ｃｅｌｌ＿ＦＡＣＨからＣｅｌｌ＿ＤＣＨへの復帰時に新たに必要となるパラメータ（変動パラメータ）については通知する必要がある。この例では、変動パラメータとして、初期送信電力を表すパラメータ９０２が含まれている。
【００８２】
図１０は、図２に示したＲＮＣからＭＳへの再開要求メッセージ２１７の一例を示している。このメッセージに含まれるＲｅｓｕｍｅ回線ＩＤ情報１００１により、一時停止された回線の再開に必要な回線番号がＭＳに通知される。
【００８３】
図１１および図１２は、図２のＵＭＴＳシステムの動作フローチャートである。まず、ＭＳは、呼確立要求を２０１をＲＮＣに送信する（ステップ１１０１）。ネットワーク側からの着信の場合は、ＲＮＣからページングメッセージにより呼び出された後、呼確立要求２０１をＲＮＣに送信する。
【００８４】
ＲＮＣは、ＤＣＣＨおよびＤＴＣＨの起動が完了して呼が確立されたか否かをチェックし（ステップ１１０２）、呼が確立されると、次に、起動されたＤＴＣＨはパケット呼に該当するか否かをチェックする（ステップ１１０３）。パケット呼でなければ、通常呼管理を行う（ステップ１１１３）。
【００８５】
ＤＴＣＨがパケット呼であれば、ＲＮＣは、ＤＣＣＨおよびＤＴＣＨの設定情報（パラメータ値）、ＭＳおよびＢＴＳのアドレス、および回線番号からなる回線情報を、記憶部３８３に格納する（ステップ１１０４）。そして、回線情報の記録をＢＴＳおよびＭＳに指示する。これを受けて、ＢＴＳおよびＭＳは、上述した回線情報を記憶部４１７および記憶部５０６にそれぞれ格納する。
【００８６】
次に、ＭＳは、Ｃｅｌｌ＿ＦＡＣＨ移行イベントが発生したか否かをチェックし（ステップ１１０５）、Ｃｅｌｌ＿ＦＡＣＨ移行イベントが発生していなければ、Ｃｅｌｌ＿ＤＣＨの呼を継続するか否かを決定し（ステップ１１１４）、呼を継続する場合は、ステップ１１０５のチェックを繰り返す。
【００８７】
呼を切断する場合は、ＭＳ、ＢＴＳ、およびＲＮＣの各ネットワーク構成装置は、呼切断処理が完了したか否かをチェックし（ステップ１１１７）、呼切断処理が完了しなければ、異常終了する（ステップ１１１８）。
【００８８】
呼切断処理が完了すると、ＭＳ、ＢＴＳ、およびＲＮＣは、対象呼に対応する回線情報を記憶部５０６、４１７、および３８３からそれぞれ消去し、一時停止されていた回線を解放する（ステップ１１１９）。
【００８９】
ステップ１１０５において、Ｃｅｌｌ＿ＦＡＣＨ移行イベントが発生すると、ＭＳは、Ｃｅｌｌ＿ＦＡＣＨの呼確立要求として、Ｍｅａｓｕｒｍｅｎｔ  Ｒｅｐｏｒｔ  Ｅｖｅｎｔ  ４ｂのメッセージをＲＮＣに送信する。
【００９０】
これを受信したＲＮＣは、Ｃｅｌｌ＿ＦＡＣＨへの移行が完了したか否かをチェックし（ステップ１１０６）、移行が完了していなければ、次に、移行が失敗したか否かをチェックする（ステップ１１１５）。移行が失敗していなければ、ステップ１１０６のチェックを繰り返す。移行が失敗した場合は、ＲＮＣからの指示によりステップ１１１９の処理が行われる。
【００９１】
ステップ１１０６において、Ｃｅｌｌ＿ＦＡＣＨへの移行が完了すると、ＲＮＣは、Ｃｅｌｌ＿ＦＡＣＨにてＭＳと通信を行う（ステップ１１０７）。
次に、ＭＳは、Ｃｅｌｌ  Ｕｐｄａｔｅイベントが発生したか否かをチェックし（ステップ１１０８）、Ｃｅｌｌ  Ｕｐｄａｔｅイベントが発生すると、Ｃｅｌｌ  ＵｐｄａｔｅのメッセージをＲＮＣに送信する。
【００９２】
これを受信したＲＮＣは、受信したメッセージがＰｅｒｉｏｄｉｃａｌ  Ｃｅｌｌ  Ｕｐｄａｔｅイベントに該当するか否かをチェックし（ステップ１１０９）、Ｐｅｒｉｏｄｉｃａｌ  Ｃｅｌｌ  Ｕｐｄａｔｅイベントであれば、次に、Ｐｅｒｉｏｄｉｃａｌ  Ｃｅｌｌ  Ｕｐｄａｔｅ処理が完了したか否かをチェックする（ステップ１１１０）。
【００９３】
Ｐｅｒｉｏｄｉｃａｌ  Ｃｅｌｌ  Ｕｐｄａｔｅ処理が完了していなければ、その処理が失敗したか否かをチェックし（ステップ１１１６）、失敗していなければ、ステップ１１１０のチェックを繰り返す。Ｐｅｒｉｏｄｉｃａｌ  Ｃｅｌｌ  Ｕｐｄａｔｅ処理が失敗した場合は、ＲＮＣからの指示によりステップ１１１９の処理が行われる。
【００９４】
ステップ１１１０において、Ｐｅｒｉｏｄｉｃａｌ  Ｃｅｌｌ  Ｕｐｄａｔｅ処理が完了すると、次に、Ｐｅｒｉｏｄｉｃａｌ  Ｃｅｌｌ  Ｕｐｄａｔｅの回数を閾値と比較する（ステップ１１１１）。その回数が閾値を超えていれば、ＲＮＣからの指示によりステップ１１１９の処理が行われる。
【００９５】
Ｐｅｒｉｏｄｉｃａｌ  Ｃｅｌｌ  Ｕｐｄａｔｅの回数が閾値以下であれば、ＲＮＣは、ＭＳからＭｅａｓｕｒｍｅｎｔ  Ｒｅｐｏｒｔ  Ｅｖｅｎｔ  ４ａのメッセージ２１１を受信したか否かをチェックする（ステップ１１１２）。メッセージ２１１を受信していなければ、ステップ１１１０のチェックを繰り返す。
【００９６】
メッセージ２１１を受信すると、ＲＮＣは、そのメッセージ２１１に含まれる送信元ＭＳのアドレスを取り出し（ステップ１２０１）、そのＭＳアドレスに対応する回線情報が記憶部３８３内にあるか否かをチェックする（ステップ１２０２）。対応する回線情報がなければ、送信元ＭＳは他のセルから移動したＭＳ、または一時停止の回線情報を持たないＭＳであると判断する（ステップ１２２１）。そして、通常のＭｅａｓｕｒｍｅｎｔ  Ｒｅｐｏｒｔ受付処理を行って、個別チャネルを起動する（ステップ１２２２）。
【００９７】
ステップ１２０２において、記憶部３８３内に対応する回線情報があれば、その回線情報を用いて一時停止されていたＩｕｂ回線の再開処理を行い（ステップ１２０３）、再開処理が完了したか否かをチェックする（ステップ１２０４）。再開処理が完了していなければ、再開処理が失敗したか否かをチェックし（ステップ１２１４）、失敗していなければ、ステップ１２０４のチェックを繰り返す。
【００９８】
再開処理が失敗した場合は、呼の再設定に失敗したと判断し（ステップ１２１５）、Ｃｅｌｌ  Ｕｐｄａｔｅ  Ｆａｉｌｕｒｅ処理を行う（ステップ１２１６）。
ステップ１２０４において、再開処理が完了すると、送信元ＭＳのアドレスに対応する回線情報のＩＤ情報を含む再開要求メッセージ２１４をＢＴＳに送信し、Ｉｕｂ回線の再開を依頼する（ステップ１２０５）。
【００９９】
次に、ＢＴＳから再開完了メッセージ２１６を受信したか否かをチェックし（ステップ１２０６）、再開完了メッセージ２１６を受信していなければ、あらかじめ決められた受信待ち時間が経過したか否かをチェックする（ステップ１２１７）。待ち時間が経過すると、ＲＮＣおよびＭＳは、呼の再設定に失敗したと判断し（ステップ１２２３）、Ｃｅｌｌ  Ｕｐｄａｔｅ  Ｆａｉｌｕｒｅ処理を行う（ステップ１２２４）。そして、ステップ１１１９の処理が行われる。
【０１００】
ステップ１２１７において、待ち時間が経過していない場合は、ＲＮＣは、ＢＴＳから再開失敗のメッセージを受信したか否かをチェックし（ステップ１２１８）、再開失敗メッセージを受信していなければ、ステップ１２０６のチェックを繰り返す。ＲＮＣが再開失敗メッセージを受信すると、ステップ１２２３以降の処理が行われる。
【０１０１】
ステップ１２０６において、ＲＮＣが再開完了メッセージ２１６を受信すると、ＲＮＣおよびＢＴＳは、ＢＴＳ−ＲＮＣ間のＩｕｂ回線の再開処理を完了する（ステップ１２０７）。
【０１０２】
次に、ＲＮＣは、送信元ＭＳのアドレスに対応する回線情報のＩＤ情報を含む再開要求メッセージ２１７をそのＭＳに送信し、Ｕｕ回線の再開を依頼する（ステップ１２０８）。そして、ＭＳから再開完了メッセージ２１９を受信したか否かをチェックし（ステップ１２０９）、再開完了メッセージ２１９を受信していなければ、あらかじめ決められた受信待ち時間が経過したか否かをチェックする（ステップ１２１９）。待ち時間が経過すると、ステップ１２２３以降の処理が行われる。
【０１０３】
ステップ１２１９において、待ち時間が経過していない場合は、ＲＮＣは、ＭＳから再開失敗のメッセージを受信したか否かをチェックし（ステップ１２２０）、再開失敗メッセージを受信していなければ、ステップ１２０９のチェックを繰り返す。ＲＮＣが再開失敗メッセージを受信すると、ステップ１２２３以降の処理が行われる。
【０１０４】
ステップ１２０９において、ＲＮＣが再開完了メッセージ２１９を受信すると、ＲＮＣおよびＭＳは、ＭＳ−ＲＮＣ間のＵｕ回線の再開処理を完了する（ステップ１２１０）。そして、各ネットワーク構成装置は、Ｃｅｌｌ＿ＤＣＨの個別チャネルの再起動を完了し（ステップ１２１１）、ＭＳおよびＲＮＣは、通常のＣｅｌｌ  Ｕｐｄａｔｅプロシージャを実行する（ステップ１２１２）。こうして、呼の再設定が終了する（ステップ１２１３）。
【０１０５】
なお、図１１および図１２では、Ｐｅｒｉｏｄｉｃａｌ  Ｃｅｌｌ  Ｕｐｄａｔｅ回数が閾値を超えた場合（ステップ１１１１）に回線情報を消去する処理（ステップ１１１９）が示されているが、ＭＳが他のセルへ移動した場合、およびＰｅｒｉｏｄｉｃａｌ  Ｃｅｌｌ  Ｕｐｄａｔｅ待ちでタイムアウトした場合に回線情報を消去する処理は省略されている。
【０１０６】
ＭＳが他のセルへ移動した場合には、ＲＮＣにより回線が一旦切断されるため、それをトリガとしてステップ１１１９と同様の処理が行われる。また、ＲＮＣは、ＭＳから受信するＰｅｒｉｏｄｉｃａｌ  Ｃｅｌｌ  Ｕｐｄａｔｅメッセージの時間間隔をカウントしており、あらかじめ決められた時間内に次のＰｅｒｉｏｄｉｃａｌ  Ｃｅｌｌ  Ｕｐｄａｔｅメッセージを受信しなければ、ステップ１１１９と同様の処理を行う。
【０１０７】
ところで、図２のＵＭＴＳシステムでは、移動端末であるＭＳをＵＥ（ユーザ機器）の例として用いているが、一般的には、固定端末であるＵＥを用いた場合でも、回線使用率（データ通信量）に応じて同様の状態遷移を行うことが考えられる。したがって、本発明の個別チャネル再設定方法は、固定端末に対しても適用可能である。
【０１０８】
また、Ｃｅｌｌ＿ＦＡＣＨへ移行するか否か、およびＣｅｌｌ＿ＤＣＨへ復帰するか否かを判定するための指標は回線使用率に限られず、データ送信量やデータ受信量のように、ＵＥのデータ通信量を示す他の指標を用いることも可能である。
【０１０９】
（付記１）無線通信システムにおける個別チャネルまたは共通チャネルを物理チャネルとして用いて、基地局装置を経由して基地局制御装置とパケット通信を行う通信手段と、
前記個別チャネルを用いて前記基地局制御装置とパケット通信を行う第１の状態における通信回線の識別情報と、該第１の状態における該通信回線の設定パラメータとを含む回線情報を記憶する記憶手段と、
前記第１の状態におけるパケットデータ通信量を示す指標を所定の閾値と比較し、該指標が該閾値を下回ったとき、前記通信回線の回線情報を保持したままで前記個別チャネルを解放し、前記共通チャネルを用いて前記基地局制御装置とパケット通信を行う第２の状態へ移行する制御を行い、該第２の状態におけるパケットデータ通信量を示す指標を前記閾値と比較し、該指標が該閾値を上回ったとき、前記設定パラメータを用いて前記第１の状態へ復帰する制御を行う制御手段と
を備えることを特徴とする通信装置。
（付記２）前記通信手段は、前記第２の状態におけるパケットデータ通信量を示す指標が前記閾値を上回ったとき、前記個別チャネルの再設定要求を前記基地局制御装置に送信して、該基地局制御装置から再開要求を受信し、前記制御手段は、該再開要求に含まれる前記通信回線の識別情報に対応する設定パラメータを用いて、前記第１の状態へ復帰する制御を行うことを特徴とする付記１記載の通信装置。
（付記３）無線通信システムにおける個別チャネルまたは共通チャネルを物理チャネルとして用いて、基地局装置を経由して通信装置とパケット通信を行い、該個別チャネルを用いて該通信装置とパケット通信を行う第１の状態において、前記共通チャネルを用いて該通信装置とパケット通信を行う第２の状態へ移行する移行要求を該通信装置から受信し、該第２の状態において、該個別チャネルの再設定要求を該通信装置から受信する通信手段と、
前記第１の状態における通信回線の識別情報と、該第１の状態における該通信回線の設定パラメータとを含む回線情報を記憶する記憶手段と、
前記移行要求を受信したとき、前記通信回線の回線情報を保持したままで前記個別チャネルを解放し、前記第２の状態へ移行する制御を行い、前記再設定要求を受信したとき、前記設定パラメータを用いて前記第１の状態へ復帰する制御を行う制御手段と
を備えることを特徴とする基地局制御装置。
（付記４）前記通信手段は、前記第１の状態におけるパケットデータ通信量を示す指標が前記閾値を下回ったとき、前記通信装置から前記移行要求を受信し、前記第２の状態におけるパケットデータ通信量を示す指標が前記閾値を上回ったとき、該通信装置から前記再設定要求を受信することを特徴とする付記３記載の基地局制御装置。
（付記５）前記記憶手段に記憶される回線情報は、前記通信装置のアドレス情報をさらに含み、前記制御手段は、前記移行要求の送信元のアドレス情報に対応する回線情報から前記通信回線の識別情報を読み出し、前記通信手段は、読み出された通信回線の識別情報を含む再開要求を該通信装置に送信することを特徴とする付記３または４記載の基地局制御装置。
（付記６）前記記憶手段に記憶される回線情報は、前記基地局装置のアドレス情報をさらに含み、前記制御手段は、前記移行要求の送信元のアドレス情報に対応する回線情報から該基地局装置のアドレス情報を読み出し、前記通信手段は、前記通信回線の識別情報を含む再開要求を該基地局装置に送信することを特徴とする付記５記載の基地局制御装置。
（付記７）前記制御手段は、前記第２の状態において前記通信装置が他の基地局装置の無線ゾーンへ移動したとき、前記記憶手段から前記通信回線の回線情報を消去することを特徴とする付記３または４記載の基地局制御装置。
（付記８）前記制御手段は、前記第２の状態において前記通信装置が通信可否をチェックするために定期的に送信するメッセージをあらかじめ決められた時間内に受信しなかったとき、前記記憶手段から前記通信回線の回線情報を消去することを特徴とする付記３または４記載の基地局制御装置。
（付記９）前記制御手段は、前記第２の状態において前記通信装置が通信可否をチェックするために定期的に送信するメッセージを受信した回数が所定の閾値を超えたとき、前記記憶手段から前記通信回線の回線情報を消去することを特徴とする付記３または４記載の基地局制御装置。
（付記１０）個別チャネルまたは共通チャネルを物理チャネルとして用いて、通信装置が基地局装置を経由して基地局制御装置とパケット通信を行う無線通信システムにおける物理チャネル再設定方法であって、
前記個別チャネルを用いて前記通信装置と前記基地局制御装置がパケット通信を行う第１の状態における通信回線の識別情報と、該第１の状態における該通信回線の設定パラメータとを含む回線情報を、前記通信装置、基地局装置、および基地局制御装置のそれぞれに格納し、
前記第１の状態におけるパケットデータ通信量を示す指標を所定の閾値と比較し、
前記指標が前記閾値を下回ったとき、前記通信回線の回線情報を保持したままで前記個別チャネルを解放し、前記共通チャネルを用いて前記通信装置と前記基地局制御装置がパケット通信を行う第２の状態へ移行する制御を行い、
前記第２の状態におけるパケットデータ通信量を示す指標を前記閾値と比較し、
前記指標が前記閾値を上回ったとき、前記設定パラメータを用いて前記第１の状態へ復帰する制御を行う
ことを特徴とする物理チャネル再設定方法。
（付記１１）前記第１の状態において前記指標が前記閾値を下回ったとき、前記第２の状態へ移行する移行要求を前記通信装置から前記基地局制御装置に送信し、
前記基地局制御装置が前記移行要求を受信したとき、前記通信回線の回線情報を保持したままで前記個別チャネルを解放し、前記第２の状態へ移行する制御を行い、
前記第２の状態において前記指標が前記閾値を下回ったとき、前記個別チャネルの再設定要求を前記通信装置から前記基地局制御装置に送信し、
前記基地局制御装置が前記再設定要求を受信したとき、前記設定パラメータを用いて前記第１の状態へ復帰する制御を行う
ことを特徴とする付記１０記載の物理チャネル再設定方法。
（付記１２）前記基地局制御装置に格納された回線情報は、前記通信装置のアドレス情報をさらに含み、該基地局制御装置に格納された、前記移行要求の送信元のアドレス情報に対応する回線情報から、前記通信回線の識別情報を読み出し、読み出された通信回線の識別情報を含む再開要求を該基地局制御装置から該通信装置に送信することを特徴とする付記１１記載の物理チャネル再設定方法。
（付記１３）前記基地局制御装置に格納された回線情報は、前記基地局装置のアドレス情報をさらに含み、該基地局制御装置に格納された、前記移行要求の送信元のアドレス情報に対応する回線情報から、該基地局装置のアドレス情報を読み出し、前記通信回線の識別情報を含む再開要求を該基地局制御装置から該基地局装置に送信することを特徴とする付記１２記載の物理チャネル再設定方法。
（付記１４）前記第２の状態において前記通信装置が他の基地局装置の無線ゾーンへ移動したとき、前記通信装置、基地局装置、および基地局制御装置のそれぞれから前記通信回線の回線情報を消去することを特徴とする付記１０記載の物理チャネル再設定方法。
（付記１５）前記第２の状態において前記通信装置が通信可否をチェックするために定期的に送信するメッセージを、前記基地局制御装置があらかじめ決められた時間内に受信しなかったとき、前記通信装置、基地局装置、および基地局制御装置のそれぞれから前記通信回線の回線情報を消去することを特徴とする付記１０記載の物理チャネル再設定方法。
（付記１６）前記第２の状態において前記通信装置が通信可否をチェックするために定期的に送信するメッセージの送信回数が所定の閾値を超えたとき、前記通信装置、基地局装置、および基地局制御装置のそれぞれから前記通信回線の回線情報を消去することを特徴とする付記１０記載の物理チャネル再設定方法。
【図面の簡単な説明】
【０１１０】
【図１】本発明の通信装置の原理図である。
【図２】本発明のＣｅｌｌ＿ＦＡＣＨ移行／Ｃｅｌｌ＿ＤＣＨ復帰シーケンスを示す図である。
【図３】基地局制御装置の構成図である。
【図４】基地局装置の構成図である。
【図５】移動局の構成図である。
【図６】基地局制御装置の回線情報を示す図である。
【図７】基地局装置の回線情報を示す図である。
【図８】移動局の回線情報を示す図である。
【図９】第１のＲＥＳＵＭＥ  ＲＥＱＵＥＳＴを示す図である。
【図１０】第２のＲＥＳＵＭＥ  ＲＥＱＵＥＳＴを示す図である。
【図１１】移動通信システムの動作フローチャート（その１）である。
【図１２】移動通信システムの動作フローチャート（その２）である。
【図１３】従来の発信シーケンスを示す図である。
【図１４】従来のＣｅｌｌ＿ＦＡＣＨ移行／Ｃｅｌｌ＿ＤＣＨ復帰シーケンスを示す図である。
【図１５】ＲＡＤＩＯ  ＬＩＮＫ  ＳＥＴＵＰ  ＲＥＱＵＥＳＴを示す図（その１）である。
【図１６】ＲＡＤＩＯ  ＬＩＮＫ  ＳＥＴＵＰ  ＲＥＱＵＥＳＴを示す図（その２）である。
【図１７】ＴＲＡＮＳＰＯＲＴ  ＣＨＡＮＮＥＬ  ＲＥＣＯＮＦＩＧＵＲＡＴＩＯＮを示す図（その１）である。
【図１８】ＴＲＡＮＳＰＯＲＴ  ＣＨＡＮＮＥＬ  ＲＥＣＯＮＦＩＧＵＲＡＴＩＯＮを示す図（その２）である。
【図１９】ＴＲＡＮＳＰＯＲＴ  ＣＨＡＮＮＥＬ  ＲＥＣＯＮＦＩＧＵＲＡＴＩＯＮを示す図（その３）である。
【図２０】ＴＲＡＮＳＰＯＲＴ  ＣＨＡＮＮＥＬ  ＲＥＣＯＮＦＩＧＵＲＡＴＩＯＮを示す図（その４）である。
【符号の説明】
【０１１１】
１０１  通信装置
１０２  基地局装置
１０３  基地局制御装置
１１１  通信手段
１１２  記憶手段
１１３  制御手段
３０１、３０３、３０６  処理部
３０２  インタフェース部
３０４、４０５  スイッチ部
３０５、３０８、４０６、５１８  制御部
３０７  終端部
３１１−１、３１１−２  ＡＡＬ２処理部
３１２、３２１−１、３２１−２、３２２、３３２、３５１、３６１−１、３６１−２、３７１  伝送路インタフェース部
３３１−１、３３１−２  パケットデータ処理部
３５２  無線フレームクロック生成部
３５３  エマジェンシ制御部
３６２−１、３６２−ｎ  ダイバーシチハンドオーバトランク部
３６３−１、３６３−ｎ  ＭＡＣ多重分離部
３７２  移動局対向信号終端部
３７３  対向信号終端部
３８１  バス制御部
３８２−１、３８２−ｍ、４１６、５０５  呼処理制御部
３８３、４１７、５０６  記憶部
４０１  送信アンテナ
４０２  受信アンテナ
４０３  増幅部
４０４  拡散／逆拡散処理部
４１１  送信用増幅器
４１２  受信用低雑音増幅器
４１３、５１４  送信器
４１４、５１３  受信器
４１５、５０３  ベースバンド部
４１８  監視制御部
４１９  インタフェース
５０１  アンテナ
５０２  ＲＦ部
５０４  音声入出力部
５１１  アンテナ共用器
５１２  電力増幅器
５１５  変換部
５１６  周波数合成器
５１７  信号処理部
５１９  音声インタフェース
９０１、１００１  Ｒｅｓｕｍｅ回線ＩＤ情報
９０２  初期送信電力
【図１】
0005132055.tif 000002
【図２】
0005132055.tif 000003
【図３】
0005132055.tif 000004
【図４】
0005132055.tif 000005
【図５】
0005132055.tif 000006
【図６】
0005132055.tif 000007
【図７】
0005132055.tif 000008
【図８】
0005132055.tif 000009
【図９】
0005132055.tif 000010
【図１０】
0005132055.tif 000011
【図１１】
0005132055.tif 000012
【図１２】
0005132055.tif 000013
【図１３】
0005132055.tif 000014
【図１４】
0005132055.tif 000015
【図１５】
0005132055.tif 000016
【図１６】
0005132055.tif 000017
【図１７】
0005132055.tif 000018
【図１８】
0005132055.tif 000019
【図１９】
0005132055.tif 000020
【図２０】
0005132055.tif 000021